(57)【要約】【課題】端末装置において、セキュリティに関する報知を聞き易くかつ十分な音圧で行なう。【解決手段】端末装置の機能を実現する電子部品が配置された基板を収納する筐体の一側面に、端末装置前面を覆うフロントパネルを設け、この端末装置を、壁面開口部に筐体を収納し、壁面開口部をフロントパネルにより覆う。筐体内の基板よりも背面側に、所定の間隙を隔てて、発音体の振動体が設けられる。この発音体は、エンクロージャに収納されており、発音体の背面に残された背面空間は、導音用開口により、筐体内と連通する。更に、発音体と基板とが形成する共鳴用空間に連続し、フロントパネルの少なくとも一部に至る音通路が設けられている。これらの結果、発音体が発する音は、所定の周波数領域の音の音圧が高められ、端末装置の外部に出力される。【選択図】図４
2020198491.tif 000002
【特許請求の範囲】
【請求項１】
セキュリティに関する報知を行なう機能を備えた端末装置であって、
端末装置の機能を実現する電子部品が配置された基板を収納する筐体と、
前記筐体の一側面に設けられて端末装置前面を覆うフロントパネルであって、当該端末装置が取り付けられる壁面開口部に前記筐体を収納したとき、前記壁面開口部を覆うフロントパネルと、
前記筐体内の前記基板より背面側に、所定の間隙を隔てて設けられ、音を発する振動体が、前記基板背面に対向する位置に設けられた発音体と、
前記発音体と前記基板とが形成する共鳴用空間に連続し、前記フロントパネルの少なくとも一部に至る音通路と、
前記発音体を前記振動体の背面に背面空間を残して収納するとともに、前記背面空間を前記共鳴用空間と連通する導音用開口を有するエンクロージャと、
を備える端末装置。
【請求項２】
前記基板を前記発音体から隔てて固定する基板保持部を備え、
前記音通路は、当該基板保持部の外側と、前記筐体の内側との間に形成される
請求項１記載の端末装置。
【請求項３】
前記フロントパネルの一部に、前記筐体内と外部と連通する連通孔を備える、請求項１または請求項２に記載の端末装置。
【請求項４】
前記連通孔は、前記フロントパネルの側面のうち、当該端末装置の取付時に下向きとなる側面に設けられた、請求項３記載の端末装置。
【請求項５】
請求項１から請求項４のいずれか一項に記載の端末装置であって、
前記基板は、複数枚設けられ、前記フロントパネルから最も隔たった位置の基板の背面が前記発音体の表面または前記エンクロージャの表面から前記所定の間隙により隔てられている、端末装置。
【請求項６】
前記筐体内に収容されて、前記エンクロージャの前記発音体側の表面を形成する仕切板を備え、
前記仕切板に設けられた発音体用開口に前記発音体が取り付けられ、
前記仕切板の取付け位置を調整することで、前記所定の間隙の大きさを調整可能である、
請求項１から請求項５のいずれか一項に記載の端末装置。
【請求項７】
前記筐体の背面には、前記振動体を前記筐体の内部に臨ませて固定される振動体用開口と、前記導音用開口とが設けられ、
前記エンクロージャは、前記筐体とは別体に設けられた
請求項１から請求項６のいずれか一項に記載の端末装置。
【請求項８】
前記基板には、当該端末装置が使用者に報知するための音声を発生するための発音用電子回路が搭載され、前記発音用電子回路の出力信号は前記発音体に出力され、
前記所定の間隔で隔てられた前記基板の背面および前記発音体の表面が、前記筐体と共に形成する前記共鳴用空間の大きさは、前記音声の周波数領域に共振周波数を有する大きさである
請求項１から請求項７のいずれか一項に記載の端末装置。
【請求項９】
前記基板には、警報音を発生するための警報用電子回路が搭載され、前記警報用電子回路の出力信号は前記発音体に出力され、
前記エンクロージャの内容積と前記導音用開口の開口面積とは、前記警報音の周波数に見合ったヘルムホルツ共鳴器としての大きさとされている
請求項１から請求項８のいずれか一項に記載の端末装置。
【発明の詳細な説明】
【技術分野】
【０００１】
本開示は、音を発生する機構を内蔵した端末装置に関する。
【背景技術】
【０００２】
屋外、屋内を問わず、壁面に接地される端末が種々提案されている。こうした端末装置としては、例えば、ＩＤカードなどを読取るカードリーダを内蔵した端末装置、ネットワークに接続されて管理装置の間でセキュリティ情報のやりとりを行なう端末装置、赤外線センサなどを内蔵し侵入者などを検出した管理装置に通報する端末装置などがある。端末装置には、警報音や音声を発生する機構が組み込まれ、必要に応じて、警報音や非常時の指示音声などを外部に報知し、あるいはガイダンスなどの音声を出力して、使用者に供する。この場合、端末装置の設計は、以下の制約を受けることが多い。
【０００３】
（１）音または音声が、所定音圧以上で外部に出力されるようにすること。特に警告音などは、周囲の環境音に抗して十分な音量で、端末装置外に出力されることが望ましい。
（２）端末装置の前面に設けた放音孔の直ぐ裏側にスピーカなどの発音体を設けることが困難。端末装置の前面は、カードリーダや操作部、表示部などを設けることがあり、スピーカなどを配置しにくい場合がある。特に、音量を上げるために、口径の大きなスピーカを採用すると、スピーカなどの発音体を、端末装置の前面に設けた放音孔の直ぐ裏側に配置することは困難な場合が多い。
【０００４】
従来、こうした制約のなかで、端末装置を構成するために、端末装置内の奥まった位置に発音素子を配置し、専用の共鳴管（筒部）を介して、端末装置前面に音を伝えたり、メガホンの原理を利用して、音の出る方向を集約して結果的に外部に出力される音を大きくするものなどが提案されている（例えば、特許文献１参照）。
【先行技術文献】
【特許文献】
【０００５】
【特許文献１】特開２０１１−２５０２６１号公報
【発明の概要】
【発明が解決しようとする課題】
【０００６】
特許文献１に記載の技術は、比較的小さな発音素子を用いて、外部に良好な音や音声を出力できる点で優れているが、専用の共鳴管を用いる必要があった。また、ガイダンス音声など特定の音声の音量を高めるために発音素子に代えて、口径の大きなスピーカなどを用いる場合、共鳴管と共に端末装置内に配置することは困難であり、端末装置の大型化を余儀なくされる。
【課題を解決するための手段】
【０００７】
本開示は、以下の形態又は適用例として実現することが可能である。本開示の第１の態様として、セキュリティに関する報知を行なう機能を備えた端末装置が提供される。この端末装置は、端末装置の機能を実現する電子部品が配置された基板を収納する筐体と、前記筐体の一側面に設けられて端末装置前面を覆うフロントパネルであって、当該端末装置が取り付けられる壁面開口部に前記筐体を収納したとき、前記壁面開口部を覆うフロントパネルと、前記筐体内の前記基板より背面側に、所定の間隙を隔てて設けられ、音を発する振動体が、前記基板背面に対向する位置に設けられた発音体と、前記発音体と前記基板とが形成する共鳴用空間に連続し、前記フロントパネルの少なくとも一部に至る音通路と、前記発音体を前記振動体の背面に背面空間を残して収納するとともに、前記背面空間を前記共鳴用空間と連通する導音用開口を有するエンクロージャと、を備える。
【０００８】
こうすれば、発音体の振動体が振動すると、振動により生じた空気の疎密波、つまり音は、基板と発音体とが形成する空間の共振周波数により、特定の周波数範囲の音が強められ、この空間に連続する音通路を介し、フロントパネルの少なくとも一部に伝えられる。このため、特定の周波数成分の音を強めて出力することができ、特定周波数成分の音を聞き取り易くすることができる。
【０００９】
本開示は、こうしたセキュリティに関する報知を行なう機能を備えた端末装置に限らず、端末装置の製造方法や、端末装置と通信により接続されたセキュリティ管理装置とからなるセキュリティ管理システム、警報音等の報知方法などとしても実施可能である。
【図面の簡単な説明】
【００１０】
【図１】実施形態のセキュリティ端末装置の正面図。
【図２】セキュリティ端末装置の取付け構造を示す斜視図。
【図３】セキュリティ端末装置の背面を示す斜視図。
【図４】図１における４−４矢視図。
【図５】基板保持部を用いて基板の積層構造を示す斜視図。
【図６】図４における６−６矢視図。
【図７】セキュリティ端末装置の内部構成を示すブロック図。
【図８】従来品との比較において実施形態の音圧の改善の様子を示す説明図。
【図９】スピーカ単体との比較において実施形態の周波数特性を示す説明図。
【図１０】第２実施形態のセキュリティ端末装置を示す断面図。
【発明を実施するための形態】
【００１１】
Ａ．第１実施形態：
図１は、第１実施形態のセキュリティ端末装置２０の正面図、図２は、セキュリティ端末装置２０の取付構造を示す斜視図、図３は、セキュリティ端末装置２０の背面を示す斜視図である。なお、各図では、構造の理解がしやすいように、壁面については、図示を省略している。このセキュリティ端末装置２０は、図２の斜視図に示すように、壁面に設けられたアウトレットボックス７０に取り付けられる。セキュリティ端末装置２０は、表面を形成するフロントパネル３０と電装部品を収納する筐体５０とからなる。フロントパネル３０は、最外の表面をガラス製の化粧板３２が覆っており、開口部などは設けられていない。フロントパネル３０の中央には、ＩＤカードを読み取るためのカードリーダ３１が配置されており、使用者にＩＤカードをかざす位置を明示する枠線やシンボルマークなどが、化粧板３２には記されている。
【００１２】
フロントパネル３０の外周には、背面側に向かって所定の幅を有する側部３５が形成されている。セキュリティ端末装置２０が、壁面に取り付けられた際、フロントパネル３０は、この側部３５の分だけ、壁面から前面に突き出た状態となる。側部３５は、フロントパネル３０の全外周に形成されているが、側部３５の部位を区別する場合には、セキュリティ端末装置２０に向かって左右方向の側部３５を、左側部３５Ｌ、右側部３５Ｒと呼び、セキュリティ端末装置２０に向かって上下方向の側部３５を、上側部３５Ｕ，下側部３５Ｄと呼ぶ。
【００１３】
セキュリティ端末装置２０を壁面に取り付ける場合には、図２に示したように、セキュリティ端末装置２０の筐体５０を、アウトレットボックス７０に収納する。アウトレットボックス７０は、壁や柱に取り付けられる部材であり、フランジ部７１と収納部７３とを備える。収納部７３は、セキュリティ端末装置２０の筐体５０を収納可能な中空の箱形状を有している。フランジ部７１には、ベース部材８０が取り付けられる。アウトレットボックス７０としては、例えば規格品であるＪＩＳボックスが用いられても良い。
【００１４】
ベース部材８０は、略板状の部材であり、ほぼ中央に開口を有している。ベース部材８０には、フロントパネル３０の下側部３５Ｄに設けられた貫通孔３３に対応する位置に、立設部８２が設けられている。立設部８２には、フロントパネル３０によりセキュリティ端末装置２０を固定するためのネジ孔８５が形成されている。セキュリティ端末装置２０を、アウトレットボックス７０に収納して、フロントパネル３０を壁面に密着させ、ネジ９０を，貫通孔３３を通して、立設部８２のネジ孔８５に螺合することにより、セキュリティ端末装置２０は、壁面に固定される。
【００１５】
図３に示したように、セキュリティ端末装置２０の筐体５０には、その背面に後述するエンクロージャ６０が取り付けられている。エンクロージャ６０には、スピーカが収納されているが、その構造や動作については後述する。また、筐体５０のフロントパネル３０側には、フロントパネル３０の側部３５の立ち上げ分の内側に収納されるフランジ部５１が、筐体５０の開口部から外方に張り出すように設けられている。このフランジ部５１は，筐体５０と一体に樹脂成形されてもよいし、筐体５０とは別部材として形成され、接着や熱溶着などにより、筐体５０と一体化されてもよい。フランジ部５１の内側には，図示しない係合機構が設けられ、フロントパネル３０の内側の図示しない係合機構と係合する。もとよりネジ等により、筐体５０およびフランジ部５１と、フロントパネル３０とを結合するものとしてもよい。
【００１６】
筐体５０の背面には、セキュリティに関する情報を，上位のコントローラとやり取りするための信号線を接続するコネクタ等も設けられる。こうしたコネクタ等も含めて、セキュリティ端末装置２０の内部構成と電気的な接続について、以下図４から図６を用いて説明する。図４は、図１における４−４矢視図であり、セキュリティ端末装置２０の内部構成を側面から模式的に示す。図５は、基板を固定する構造示す斜視図、図６は、図４における６−６矢視図である。これらの図に示するように、本実施形態のセキュリティ端末装置２０は、筐体５０内に、基板を保持するための基板保持部５３を有し、この基板保持部５３に、電子部品ＥＰを実装した３枚の基板５５，５６，５７を固定して備える。また、セキュリティ端末装置２０は、発音体としてのスピーカ６３を、筐体５０の背面に取り付けられたエンクロージャ６０内に備える。なお、発音体は、通常の磁石とコイルを用いたスピーカに限られず、ピエゾを用いたタイプのものなど、種々の発音体が採用可能である。図４他において、基板５５，５６，５７の間隔や電子部品ＥＰの大きさなどは，模式的なものであり、実際の寸法比とは異なる。
【００１７】
この実施形態では，図５に示したように、左右一対の基板保持部５３Ｌ，５３Ｒに３枚の基板５５，５６，５７が固定されている。各基板保持部５３Ｌ，５３Ｒは、左右同形に樹脂成形されており、図示するように、段差のある形状をしている。この段差は、３枚の基板５５，５６，５７を、奥から順に取り付けるために設けられている。この実施形態では、基板保持部５３は左右方向に設けたが、上下方向に設けてもよく、あるいは基板から見て３方、あるいは４方（全外周）に設けてもよい。この実施形態では、基板保持部５３Ｌ，５３Ｒの段差を用いて各基板を固定したが、基板保持部には段差に代えて基板の厚みに対応した溝を設け、この溝に各基板を嵌め込む構造など、他の基板保持の構造を採用してもよい。基板５５，５６，５７の取付用に，高さの異なる支柱をフロントパネル３０側から立設し、支柱に基板を固定する構造としてもよい。本実施形態では、基板は３枚としたが、電子部品が実装可能であれば、基板は何枚であってもよく、最小一枚であって差し支えない。フロントパネル３０から最も遠い基板（ここでは基板５７）を、筐体５０の背面と平行とし、他の基板（ここでは基板５５，５６）を，基板５７と交差する方向に設けてもよい。この場合、基板５７をいわゆるライザ基板とし、基板５７に設けられた基板コネクタに、他の基板５５，５６を装着すればよい。
【００１８】
本実施形態では、基板５５には、主にカードリーダ３１に関係する電子部品ＥＰが実装され、信号線５４により、カードリーダ３１と接続されている。また基板５６には主に上位のコントローラとの間でのセキュリティ関係の情報の取り扱いに関係する電子部品ＥＰが実装されている。この基板５６は、信号線５８を介して、筐体５０の背面に設けられたレセプタクル９５に接続されている。このレセプタクル９５には、イーサーネット（商標）などの通信用信号ラインのコネクタ９６が接続される。基板５７は、主に音声や警報音の発生に関わる電子部品ＥＰを実装しており、エンクロージャ６０に内蔵されたスピーカ６３に、信号線６１により接続されている。各基板５５，５６，５７は、図示しない基板間コネクタにより、隣接する基板と接続されている。各基板間の接続は、コネクタ付きワイヤやＦＰＣなどを用いて行なってもよい。
【００１９】
筐体５０の背面には、エンクロージャ６０が取り付けられる位置に合せて開口が設けられ、この開口に臨んで、スピーカ６３が、筐体５０の内側を向けて取り付けられる。スピーカ６３が取り付けられた筐体５０の背面と、これに対向する基板５７の背面との間は、距離ＦＤだけ離間されている。このため、スピーカ６３から基板５７背面までに形成される空間５９は、スピーカ６３がその振動体であるコーン６４の振動により作り出す所定周波数範囲の音に対する共鳴用空間として働く。
【００２０】
筐体５０の背面には、スピーカ６３用の開口の他に、導音用開口６５が設けられている。この導音用開口６５は、エンクロージャ６０内の空間、つまりスピーカ６３の背面空間６９を、共鳴用空間５９と繋いでいる。スピーカ６３とエンクロージャ６０の背面とは、距離ＲＤだけ隔てられている。このため、スピーカ６３の振動体であるコーン６４により背面空間６９内に作り出された空気の粗密の振動、つまり音は、導音用開口６５を介して、共鳴用空間５９に導かれる。導音用開口６５を備えた密閉されたエンクロージャ６０、ヘルムホルツ共鳴器として機能する。
【００２１】
スピーカ６３のコーン６４の振動は、空気に粗密の振動を生じさせ、その粗密の位相は、コーン６４の前面と背面とでは逆になるが、コーン６４から導音用開口６５までは所定の距離だけ隔たっていることと、背面空間６９はその体積と導音用開口６５の開口面積とに対応したヘルムホルツ共振周波数を有することから、導音用開口６５から共鳴用空間５９に導かれる空気の粗密の振動は、スピーカ６３が再生する音のうち、本実施形態では、低音域を強める働きをする。スピーカ６３のコーン６４の振動により発生する音は、共鳴用空間５９により、所定の周波数範囲の音が強められ、音通路６６を介して、フロントパネル３０側に導かれる。音通路６６は、基板５５，５６，５７が基板保持部５３Ｌ，５３Ｒに挟まれて収容された空間の下に形成されている。この音通路６６は、共鳴用空間５９とフロントパネル３０とを繋ぐ空間として用意されるが、専用の通路として形成してもよいし、基板５５，５６，５７を基板保持部５３で固定した全体を、筐体５０内で上方（上側部３５Ｕ側）に偏らせて配置することで、形成してもよい。
【００２２】
共鳴用空間５９から音通路６６を介してフロントパネル３０に導かれた音は、フロントパネル３０の側部から外部に出力される。フロントパネル３０の下側部３５Ｄには、図６に示したように、その左右に、貫通孔３６，３７および貫通孔３８，３９が設けられている。左右の貫通孔は、一つずつでも良いが、フロントパネル３０の側部３５の強度を保ちつつ開口面積を大きくするために、貫通孔３６，３７の間、および貫通孔３８，３９の間には、リブとなる部分を残している。この貫通孔３６，３７，３８，３９と共鳴用空間５９とは、音通路６６により繋がっている。この音通路６６のフロントパネル３０側末端は、図４に示したように、フランジ部５１内の空間に繋がっており、音通路６６を介して伝わった音は、フランジ部５１内の空間を通って、貫通孔３６，３７，３８，３９から外部に出力される。貫通孔３６から３９の大きさや配置、形状などは、適宜選択可能である。例えば貫通孔は丸型など他の形状でもよく、数や配置も変更してよい。下側部３５Ｄの一部に小さな貫通孔を多数明け、メッシュ状の構成とすることも差し支えない。
【００２３】
次に、セキュリティ端末装置２０の電気的な構成について、図７を用いて説明する。セキュリティ端末装置２０は、既に説明した基板５５，５６，５７に実装された電子部品ＥＰとして、図７に示したように、以下の素子やチップを備える。
・全体の処理を司るＣＰＵ４０、
・ＣＰＵ４０が実行するプログラムを記憶したＲＯＭ４１、
・演算中のデータを一時的に保存したりするメモり４２、
・既に説明した表示付きカードリーダ３１をコントロールする専用のチップであるカードリーダコントローラ４３、
・カードリーダ３１により読み取られたカードの認証などを行なうセキュリティ管理部４４、
・通信用ドライバ４６を介してコネクタ９５に接続され、図示しない外部のセキュリティシステムとの間で、シリアルデータの入出力を行なうシリアル入出力部（ＳＩ／Ｏ）４５、
・音声の合成と出力を行なう音声出力部４７、
・警報音の出力を行なう警報音出力部４８、
・音声出力部４７および警報音出力部４８からの信号を増幅し、スピーカ６３を駆動する増幅器４９。
【００２４】
セキュリティ端末装置２０は、図７に示したこれらの電子部品ＥＰにより、カードリーダ３１が読み取ったカードの認証を行ない、その結果を、ＳＩ／Ｏ４５を介して、外部のセキュリティシステムとやり取りする。カードが認証されれば、図示しないゲートなどを開いて、カード所持者の入門などを許可する。セキュリティ端末装置２０は、人が接近すると、これを外部のセンサにより検出し、セキュリティシステムからの指示を受けて、「カードをパネル前面にタッチしてください」、「もう一度タッチしてください」「認証に成功しました、お入り下さい」といったガイダンス音声による報知などを行なう。また、カードが不正に作られたものであることを検出した場合などには、警報音出力部４８を駆動して、特定の周波数の警報音が大音量で出力されるように、スピーカ６３を駆動する。
【００２５】
スピーカ６３が増幅器４９により駆動されて、音声や警報音を出力すると、共鳴用空間５９や背面空間６９により、所定周波数範囲の音の振幅が強められ、音通路６６を介して、音声や警報音が、貫通孔３６，３７，３８，３９を介して、セキュリティ端末装置２０の外部に出力される。図８に、従来品に対して、本実施形態では、警報音とガイダンス音声とがどの程度大きくなったかを示す。ここで従来品は、フロントパネル表面に放音孔を設け、放音孔の背面に直接スピーカを設けた構成を備える。スピーカの口径は、設置可能な最大の口径としたが、スピーカをフロントパネル背面に設置するため、他の部材との関係で所定の口径に留まる。図示するように、従来品に対して、本実施形態のセキュリティ端末装置２０は、共鳴管などの部品を設けておらず、また放音孔としての貫通孔３６から３９は、フロントパネル３０の側部３５に設けているにもかかわらず、ガイダンス音声の音圧は同レベルであり、警報音については、数デシベル程度音圧が高くなった。
【００２６】
こうした音圧の向上は、図９に示したように、５００から１５００Ｈｚの周波数範囲の音の音圧が、スピーカ６３単体の場合よりも高められることにより、生じている。この周波数範囲の音の音圧が高められるメカニズムは、主として次の２つによる。
（１）エンクロージャ６０から導音用開口６５を介して共鳴用空間５９に出力される音が、主に低音となるように、エンクロージャ６０の諸寸法（主として、スピーカ６３の背面から導音用開口６５までの距離と背面空間６９の大きさ）が設計されていること、
（２）共鳴用空間５９の共振周波数が１０００Ｈｚ程度となるよう設計されていること。
こうしておくことで、スピーカ６３単体の場合と比べて、５００から１５００Ｈｚの周波数範囲の音の音圧が高められる。特に警報音は、５００から１０００Ｈｚの範囲の特定波長を中心波長とする音として出力されるので、その中心周波数に合せてエンクロージャ６０の諸寸法と共鳴用空間５９の共振周波数とを設計しておくことで、中心波長の音の音圧が高められ、大きな音として出力される。本実施形態では、距離ＲＤを８から９ミリ程度にしたときに、出力される警報音の音圧が最も高くなつた。
【００２７】
また、ガイダンス音声も、５００から１５００Ｈｚの周波数範囲の音の音圧が高められることにより、その聞き取りやすさが改善される。ガイダンス音声などは、子音も含めれば、４０００Ｈｚ付近までの周波数範囲を含んでいるが、２０００Ｈｚ以上の周波数範囲は、主に擦過音などの子音に用いられており、５００から１５００Ｈｚの周波数範囲の音の音圧が高められることにより、聞き取り易さは向上する。なお、第１実施形態では、５００から１５００Ｈｚ程度の周波数範囲の音の音圧を高める様に、共鳴用空間５９の体積を調整したが、警報音が１５００Ｈｚよりも高い周波数であれば、共鳴用空間５９の共振周波数波をこれに合わせて高くしてもよい。また、セキュリティ端末装置２０がガイダンス音声と警報音のいずれか一方しか出力しない場合には、出力する音の周波数範囲に合わせて、共鳴用空間５９や背面空間６９の諸寸法を決めればよい。
【００２８】
本実施形態では、ガイダンス音声や警報音を外部に出力するための貫通孔３６から３９を、下側部３５Ｄに設けた。このため、セキュリティ端末装置２０が建物やゲートなど戸外の壁面に設置された場合でも、高い防水性、防塵性を備えることができる。なお、本実施形態では、放音用の連通孔である貫通孔３６から３９を、下側部３５Ｄ設けたが、放音用の連通孔を設けなくてもよい。この場合でも、フロントパネル３０と筐体５０とが完全な密閉構造となっていない限り、共鳴用空間５９や背面空間６９により音圧を高めているので、所定周波数領域のガイダンス音声や警報音について十分な音量を確保可能である。
【００２９】
Ｂ．第２実施形態：
次に、第２実施形態について説明する。図１０は、第２実施形態のセキュリティ端末装置２０Ａの構造を模式的に示す。この図は、第１実施形態の図４に対応している。第２実施形態では、エンクロージャ６０Ａが、筐体５０Ａと一体に形成されている点を除いて、第１実施形態と、他は同様である。
【００３０】
この実施形態では、筐体５０Ａ内部に仕切板６７を備え、スピーカ６３はこの仕切板６７に取り付けられている。仕切板６７は、上下で、筐体５０Ａにネジ６８により固定される。筐体５０Ａ側の取付孔は、長孔になっているので、仕切板６７の取り付け位置は、基板５７に近接・離間する方向に調整可能である。
【００３１】
かかる構成の第２実施形態によれば、第１実施形態と同様に、ガイダンス音声を聞き易く、また警報音を大音量化することができる。しかも、仕切板６７の位置を変更することができるので、共鳴用空間５９の体積を変更することができ、必要とする共振周波数の変更に柔軟に対応することができる。また、エンクロージャ６０Ａを筐体５０Ａと一体化しているので、凹凸の少ない外観にすることができる。
【００３２】
本実施形態では、仕切板６７を前後させると、共鳴用空間５９の体積の増加に伴って、背面空間６９の体積は減少するが、導音用開口６５があることにより共鳴用空間５９側に放出されて、音通路６６に出力される音の周波数は、背面空間６９の体積よりも、コーン６４から導音用開口６５までの距離に依存している。従って、仕切板６７の位置を調整しても、セキュリティ端末装置２０Ａの外部に取り出される音のうち、音圧が高められる周波数範囲に大きな変動は生じない。仕切板６７の位置は、設計段階で決定し、例えば警報音の音程（周波数）に応じた位置としてもよい。また、製造の段階や現地調整の段階で、仕切板６７の位置を調整するようにしてもよい。
【００３３】
Ｃ．他の実施形態：
（１）本開示は、上記実施形態以外に以下の実施形態として実施することも可能である。他の実施形態としてのセキュリティに関する報知を行なう機能を備えた端末装置は、端末装置の機能を実現する電子部品が配置された基板を収納する筐体と、前記筐体の一側面に設けられて端末装置前面を覆うフロントパネルであって、当該端末装置が取り付けられる壁面開口部に前記筐体を収納したとき、前記壁面開口部を覆うフロントパネルと、前記筐体内の前記基板より背面側に、所定の間隙を隔てて設けられ、音を発する振動体が、前記基板背面に対向する位置に設けられた発音体と、前記発音体と前記基板とが形成する共鳴用空間に連続し、前記フロントパネルの少なくとも一部に至る音通路と、前記発音体を前記振動体の背面に背面空間を残して収納するとともに、前記背面空間を前記共鳴用空間と連通する導音用開口を有するエンクロージャと、を備える。この形態において、発音体と基板とが形成する共鳴用空間は、完全に仕切られている必要はなく、基板にビアホールや部品取付用の開口などがあっても差し支えない。また、音通路は、発音体と基板とが形成する共鳴用空間に連続し、フロントパネルの少なくとも一部に至る通路であればよく、その形状や長さは特に問わない。
【００３４】
（２）こうした端末装置において、前記基板を前記発音体から隔てて固定する基板保持部を備え、前記音通路は、当該基板保持部の外側と、前記筐体の内側との間に形成されるものとしてよい。こうすれば、基板の固定と音通路の確保とを、容易に両立できる。
【００３５】
（３）こうした端末装置において、フロントパネルの一部に、前記筐体内と外部と連通する連通孔を備えるものとしてもよい。こうすれば、音を端末装置の筐体の外に導く出口を確保するこができる。この場合、連通孔は、フロントパネルの一部に設けられていればよい。この連通孔の開口の向きを下向きにすれば、防水性・防塵性を高めることができるので望ましいが、下向きに限る必要はない。ここで。連通孔の開口が下向きとは、第１，第２実施形態で言えば、下側部３５Ｄに設けられている態様の他、左側部３５Ｌや右側部３５Ｒに連通孔を設け、開口の部分の側部の厚みを側部外側で削り、開口を横向きから僅かに下向きにする態様などを含んでいる。更に、連通孔は、少なくとも外部への開口が下向きであることが望ましいが、開口に防水通気膜などを設ければ、開口の方向によらず、外への音の放出と、雨水や塵埃などの侵入防止とを両立させることも可能である。防水通気膜は、気体の透過を許容し、液体の透過を阻止する膜部材であり、樹脂から形成された織布もしくは不織布としての形態、メッシュ、ネットなどの構造により実現した形態などがある。
【００３６】
（４）こうした端末装置において、前記連通孔は、前記フロントパネルの側面のうち、前記端末装置の取付時に下向きとなる側面、例えば第１実施形態の下側部３５Ｄに設けるといった態様としてよい。こうすれば、防水性・防塵性を高めることができる。
【００３７】
（５）こうした端末装置において、前記基板は、複数枚設けられ、前記フロントパネルから最も隔たった位置の基板の背面が前記発音体の表面または前記エンクロージャの表面から前記所定の間隙により隔てられているものとしてよい。こうすれば、セキュリティ端末装置として必要な機能を複数の基板を用いて実現する構造と、特定の周波数範囲の音を強める構造とを両立することができる。
【００３８】
（６）こうした端末装置において、前記筐体内に収容されて、前記エンクロージャの前記発音体側の表面を形成する仕切板を備え、前記仕切板に設けられた発音体用開口に前記発音体が取り付けられ、前記仕切板の取付け位置を調整することで、前記所定の間隙の大きさを調整可能である構造としてもよい、こうすれば、基板の背面と振動体とが形成する所定の間隙の大きさを調整でき、音を強める周波数範囲を調整できる。
【００３９】
（７）こうした端末装置において、前記筐体の背面には、前記振動体を前記筐体内部に臨ませて固定される振動体用開口と、前記導音用開口とが設けられ、前記エンクロージャは、前記筐体とは別体に設けられた構造としてもよい。こうすれば、発音体を含むエンクロージャを容易に取り付けることができる。また、発音体やエンクロージャの取替を容易とすることができる。
【００４０】
（８）こうした端末装置において、前記基板には、当該端末装置が使用者に報知するための音声を発生するための発音用電子回路が搭載され、前記発音用電子回路の出力信号は前記発音体に出力され、前記所定の間隔で隔てられた前記基板の背面および前記発音体の表面が、前記筐体と共に形成する共鳴用空間の大きさは、前記音声の周波数領域に共振周波数を有する大きさとしてもよい。こうすれば、端末装置が使用者に報知するための音声を強めることができ、端末装置が発する音声の聞き取り易さを改善できる。
【００４１】
（９）こうした端末装置において、前記基板には、警報音を発生するための警報用電子回路が搭載され、前記警報用電子回路の出力信号は前記発音体に出力され、前記エンクロージャの内容積と前記導音用開口の開口面積とは、前記警報音の周波数に見合ったヘルムホルツ共鳴器としての大きさとしてもよい。こうすれば、エンクロージャの形態がヘルムホルツ共鳴器として働いて、警報音を強めることができる。警報音は、通常周波数範囲の狭い周波数の音が用いられるので、エンクロージャのヘルムホルツ共鳴の周波数を一致させておけば、警報音を強めることは容易である。
【００４２】
本開示は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４３】
本開示は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。例えば、上記実施形態においてハードウェアにより実現した構成の一部は、ソフトウェアにより実現することができる。
【符号の説明】
【００４４】
２０，２０Ａ…セキュリティ端末装置、３０…フロントパネル、３１…カードリーダ、３２…化粧板、３３…貫通孔、３５…側部、３５Ｄ…下側部、３５Ｌ…左側部、３５Ｒ…右側部、３５Ｕ…上側部、３６，３７，３８，３９…貫通孔、４０…ＣＰＵ、４１…ＲＯＭ、４３…カードリーダコントローラ、４４…セキュリティ管理部、４６…通信用ドライバ、４７…音声出力部、４８…警報音出力部、４９…増幅器、５０，５０Ａ…筐体、５１…フランジ部、５３，５３Ｌ，５３Ｒ…基板保持部、５４，５８，６１…信号線、５５，５６，５７…基板、５９…共鳴用空間、６０，６０Ａ…エンクロージャ、６３…スピーカ、６４…コーン、６５…導音用開口、６６…音通路、６７…仕切板、６８…ネジ、６９…背面空間、７０…アウトレットボックス、７１…フランジ部、７３…収納部、８０…ベース部材、８２…立設部、８５…ネジ孔、９０…ネジ、９５…レセプタクル、９６…コネクタ、ＥＰ…電子部品
【図１】
2020198491.tif 000003
【図２】
2020198491.tif 000004
【図３】
2020198491.tif 000005
【図４】
2020198491.tif 000006
【図５】
2020198491.tif 000007
【図６】
2020198491.tif 000008
【図７】
2020198491.tif 000009
【図８】
2020198491.tif 000010
【図９】
2020198491.tif 000011
【図１０】
2020198491.tif 000012